【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
ウエアラブル・ストレージ・デバイスであって、
プロセッサーと、
前記プロセッサーからストレージ命令を受け取るように構成されるストレージ・モジュールであって、
パーソナル・コンピューター、ラップトップ、スマートフォン、およびタブレットのうちの少なくとも１つのものを含む第１デバイスにより読み出されるようにファイルを格納するように構成される、
ストレージ・モジュールと、
前記プロセッサーから通信命令を受け取るように構成される通信モジュールであって、
標準化された通信プロトコルを用いて前記第１デバイスとネットワークを介して通信するように構成される第１ワイヤレス・チップを含み、
前記ファイルを、前記ストレージ・モジュールで記憶するために、前記パーソナル・コンピューター、前記ラップトップ、前記スマートフォン、および前記タブレットのうちの前記少なくとも１つのものから受け取るように構成される、
通信モジュールと、
Ｂｌｕｅｔｏｏｈ（登録商標）プロトコルを介して前記第１デバイスと通信するように構成される第２ワイヤレス・チップと
を備え、
前記標準化された通信プロトコルは、前記第１ワイヤレス・チップまたは前記第２ワイヤレス・チップの少なくとも一方を用いて、デバイスの探索、データの受信、またはデータの送信のうちの少なくとも１つを行う前記ウエアラブル・ストレージ・デバイスの機能を定義する、ウエアラブル・ストレージ・デバイス。
【請求項２】
請求項１に記載のウエアラブル・ストレージ・デバイスであって、ブレスレット、小型時計、およびネックレスのうちの少なくとも１つを含むウエアラブル・ストレージ・デバイス。
【請求項３】
請求項１に記載のウエアラブル・ストレージ・デバイスであって、グラフィカル・ユーザー・インターフェイスを含むウエアラブル・ストレージ・デバイス。
【請求項４】
請求項１に記載のウエアラブル・ストレージ・デバイスであって、防水コーティングを更に含むウエアラブル・ストレージ・デバイス。
【請求項５】
請求項１に記載のウエアラブル・ストレージ・デバイスであって、前記ネットワークはローカル・ネットワークを含む、ウエアラブル・ストレージ・デバイス。
【請求項６】
請求項５に記載のウエアラブル・ストレージ・デバイスであって、前記ローカル・ネットワークはルーターを含む、ウエアラブル・ストレージ・デバイス。
【請求項７】
請求項１に記載のウエアラブル・ストレージ・デバイスであって、前記ネットワークはインターネットを含む、ウエアラブル・ストレージ・デバイス。
【請求項８】
請求項１に記載のウエアラブル・ストレージ・デバイスであって、前記ストレージ・モジュールは前記第１デバイスと同期するように構成される、ウエアラブル・ストレージ・デバイス。
【請求項９】
請求項１に記載のウエアラブル・ストレージ・デバイスであって、前記ストレージ・モジュールは前記ファイルを前記第１デバイスと自動的に同期させるように構成される、ウエアラブル・ストレージ・デバイス。
【請求項１０】
請求項９に記載のウエアラブル・ストレージ・デバイスであって、前記ファイルは暗号化される、ウエアラブル・ストレージ・デバイス。
【請求項１１】
請求項１に記載のウエアラブル・ストレージ・デバイスであって、前記ストレージ・モジュールに格納されたアクセス・キーを更に含むウエアラブル・ストレージ・デバイス。
【請求項１２】
請求項１に記載のウエアラブル・ストレージ・デバイスであって、前記ストレージ・モジュールは少なくとも１テラバイトの容量を有する、ウエアラブル・ストレージ・デバイス。
【請求項１３】
方法であって、
データを送信するためのプロセッサーにより、第１デバイスで、標準化された通信プロトコル（「ＳＣＰ」）をインプリメントするステップと、
前記プロセッサーにより、ファイルを得るステップと、
前記プロセッサーにより、ＴＣＰまたはＵＤＰの少なくとも一方を用いるトランスポート層にインプリメントされた探索プロトコルを用いてウエアラブル・ストレージ・デバイスを探索するステップであって、
前記探索プロトコル、および前記第１デバイスと前記ウエアラブル・ストレージ・デバイスとの間におけるデータの送信は前記ＳＣＰによって定義され、
前記ウエアラブル・ストレージ・デバイスは、前記ファイルを送信および受信するように構成されたストレージ・モジュールを含み、
前記ストレージ・モジュールは、前記プロセッサーにより読み出されるようにファイルを格納するように構成される、
ステップと、
前記プロセッサーにより、前記ファイルを暗号化するステップと、
前記プロセッサーにより、前記ＳＣＰを用いて、暗号化された前記ファイルを前記ウエアラブル・ストレージ・デバイスへ送信するステップと
を含む方法。
【請求項１４】
請求項１３に記載の方法であって、前記ウエアラブル・ストレージ・デバイスはネックレス、ブレスレット、および小型時計のうちの少なくとも１つのものを含む、方法。
【請求項１５】
請求項１４に記載の方法であって、前記ファイルは前記第１デバイスに格納されない、方法。
【請求項１６】
請求項１４に記載の方法であって、前記ファイルを得るステップは、前記第１デバイスのカメラを用いてピクチャをキャプチャするステップを含む、方法。
【請求項１７】
請求項１４に記載の方法であって、前記ウエアラブル・ストレージ・デバイスで前記ファイルを格納するステップを更に含む方法。
【請求項１８】
請求項１４に記載の方法であって、前記ファイルを前記ウエアラブル・ストレージ・デバイスから第２デバイスへ送信するステップを更に含む方法。
【請求項１９】
請求項１４に記載の方法であって、前記ＳＣＰをインプリメントするステップは、ＳＣＰヘッダーをパケットへ付加するステップを含む、方法。
【請求項２０】
請求項１４に記載の方法であって、前記ストレージ・モジュールは１テラバイト以上の容量を有する、方法。
【請求項２１】
ポータブル・ストレージ・デバイスであって、
プロセッサーと、
前記プロセッサーからストレージ命令を受け取るように構成されるストレージ・モジュールであって、パーソナル・コンピューター、ラップトップ、スマートフォン、およびタブレットのうちの少なくとも１つのものにより読み出されるようにファイルを格納するように構成され、前記プロセッサーは、前記ファイルがワンタイム暗号を用いて少なくとも前記ストレージ・モジュール上で暗号化されるように前記ファイルを暗号化するように構成される、ストレージ・モジュールと、
前記プロセッサーから通信命令を受け取るように構成される通信モジュールと、
Ｂｌｕｅｔｏｏｈ（登録商標）プロトコルを介して、前記パーソナル・コンピューター、前記ラップトップ、前記スマートフォン、および前記タブレットのうちの前記少なくとも１つのものと通信するように構成される第２ワイヤレス・チップと
を備え、
前記通信モジュールまたは前記第２ワイヤレス・チップの少なくとも一方は、前記パーソナル・コンピューター、前記ラップトップ、前記スマートフォン、および前記タブレットのうちの前記少なくとも１つのワイヤレス通信インターフェイスへ直接的に前記ワンタイム暗号を送信するように構成される、ウエアラブル・ストレージ・デバイス。
【請求項２２】
請求項２１に記載のポータブル・ストレージ・デバイスであって、ブレスレット、小型時計、およびネックレスのうちの少なくとも１つのものを含むポータブル・ストレージ・デバイス。